(57)【要約】【課題】蒸散剤保持体の出し入れを簡単に行うことができる加熱蒸散装置を提供することである。【解決手段】発熱部25を内蔵した器体111と、この器体111の前面に設けられた蓋体12とを備え、蒸散剤保持体20を器体111と蓋体12との間に介在させて蒸散剤保持体20を発熱部25により加熱して蒸散剤を蒸散させるようにした加熱蒸散装置であり、器体111には、上部に蒸散剤保持体20を出し入れするための開口部31と、この開口部31から蒸散剤保持体20の少なくとも一部を器体111の外に押し出すための押出手段131とが設けられている。【選択図】  図２
2005124542.tif 000002
【特許請求の範囲】
【請求項１】
発熱部を内蔵した器体と、この器体前面に設けられ気体通過孔を有する蓋体とを備え、蒸散剤保持体を前記器体と蓋体との間に介在させて該蒸散剤保持体を前記発熱部により加熱して蒸散剤を蒸散させるようにした加熱蒸散装置であって、
前記器体は、前記蒸散剤保持体を出し入れするための開口部と、この開口部から前記蒸散剤保持体の少なくとも一部を前記器体の外に押し出すための押出手段とを備えていることを特徴とする加熱蒸散装置。
【請求項２】
前記押出手段は、前記蒸散剤保持体を支持しかつ前記開口部に向かって移動可能な蒸散剤保持体受け部と、この受け部を器体外から操作するための操作部とを備えている請求項１記載の加熱蒸散装置。
【請求項３】
前記操作部は、前記受け部の移動方向に沿って器体に設けられた貫通口を経て前記受け部の端部に接続された取手である請求項２記載の加熱蒸散装置。
【請求項４】
前記受け部と操作部とからなるレバーが前記器体に回動自在に取り付けられており、このレバー取り付け部を回動中心にして前記受け部が回動して蒸散剤保持体を開口部から押し出すようにした請求項２記載の加熱蒸散装置。
【請求項５】
前記受け部は枠体からなり、この枠体内に前記蒸散剤保持体を着脱自在に保持した請求項２〜４のいずれかに記載の加熱蒸散装置。
【請求項６】
前記押出手段は、前記蒸散剤保持体を支持しかつ前記器体の底部または側部に取り付けられた弾性受け部であり、この受け部を弾性力に抗して器体内に押し込むことにより蒸散剤保持体を前記開口部より器体外へ押し出すようにした請求項１記載の加熱蒸散装置。
【請求項７】
前記押出手段は、前記蒸散剤保持体を支持しかつ前記器体の底部または側部に取り付けられた弾性受け部であり、この受け部を弾性力に抗してロックし蒸散剤保持体を加熱状態に保持するためのロック手段を設け、このロック手段によるロックを解除した状態で受け部が蒸散剤保持体を前記開口部から器体外へ押し出されるようにした請求項１記載の加熱蒸散装置。
【請求項８】
発熱部を内蔵した器体と、この器体前面に設けられ気体通過孔を有する蓋体とを備え、蒸散剤保持体を前記器体と蓋体との間に介在させて蒸散剤保持体を前記発熱部により加熱して蒸散剤を蒸散させるようにした加熱蒸散装置であって、
前記蓋体は、前記器体の上方または側方にスライド自在に器体に取り付けられており、かつ蓋体内面に蒸散剤保持体が着脱自在に保持されていることを特徴とする加熱蒸散装置。
【請求項９】
発熱部を内蔵した器体と、この器体前面に設けられ気体通過孔を有する蓋体とを備え、蒸散剤保持体を前記器体と蓋体との間に介在させて蒸散剤保持体を前記発熱部により加熱して蒸散剤を蒸散させるようにした加熱蒸散装置であって、
前記器体は、その両側面に前記蒸散剤保持体を出し入れするための開口部を有し、かつ器体内にこれらの開口部間にわたってガイドレールが架設されていることを特徴とする加熱蒸散装置。
【請求項１０】
前記蒸散剤保持体が水平、傾斜および直立のいずれかの状態で配置されている請求項１〜９のいずれかに記載の加熱蒸散装置。
【発明の詳細な説明】
【技術分野】
【０００１】
本発明は、蒸散剤保持体を加熱して蒸散剤を揮散させる加熱蒸散装置に関し、特に蒸散剤保持体を覆う蓋体を備えた加熱蒸散装置に関する。
【背景技術】
【０００２】
従来から、蚊等の害虫を駆除するための殺虫剤や、芳香剤等を室内に蒸散させるために、加熱蒸散方法が用いられている。加熱蒸散方法としては、蒸散効率を上げるために、マット等に蒸散剤を保持した蒸散剤保持体や、容器に蒸散剤を収容した蒸散剤保持体などを発熱部で加熱する方法が提案されている（例えば、特許文献１）。
【０００３】
ところで、蒸散剤を蒸散させる加熱蒸散装置において、発熱部や発熱部により加熱された蒸散剤保持体が外部に露出していると、使用者や幼児の手指が加熱した発熱部や蒸散剤保持体に不測に接触する可能性がある。しかし、このような接触を防止するために、発熱部および蒸散剤保持体を覆う蓋状の部材を加熱蒸散装置に設けると、加熱蒸散装置から蒸散剤保持体を出し入れする際に蓋を開いたり閉じたりする必要があるため、蒸散剤保持体の出し入れ作業が煩雑になるという問題がある。
【特許文献１】特開２００３−２５０４１７号公報
【発明の開示】
【発明が解決しようとする課題】
【０００４】
したがって、本発明の目的は、蒸散剤保持体の出し入れを簡単に行うことができる加熱蒸散装置を提供することである。
【課題を解決するための手段】
【０００５】
上記課題を解決するための本発明の加熱蒸散装置は、以下の構成からなる。
(1)  発熱部を内蔵した器体と、この器体前面に設けられ気体通過孔を有する蓋体とを備え、蒸散剤保持体を前記器体と蓋体との間に介在させて該蒸散剤保持体を前記発熱部により加熱して蒸散剤を蒸散させるようにした加熱蒸散装置であって、前記器体は、前記蒸散剤保持体を出し入れするための開口部と、この開口部から前記蒸散剤保持体の少なくとも一部を前記器体の外に押し出すための押出手段とを備えていることを特徴とする加熱蒸散装置。
(2)  前記押出手段は、前記蒸散剤保持体を支持しかつ前記開口部に向かって移動可能な蒸散剤保持体受け部と、この受け部を器体外から操作するための操作部とを備えている(1)記載の加熱蒸散装置。
(3)  前記操作部は、前記受け部の移動方向に沿って器体に設けられた貫通口を経て前記受け部の端部に接続された取手である(2)記載の加熱蒸散装置。
(4)  前記受け部と操作部とからなるレバーが前記器体に回動自在に取り付けられており、このレバー取り付け部を回動中心にして前記受け部が回動して蒸散剤保持体を開口部から押し出すようにした(2)記載の加熱蒸散装置。
(5)  前記受け部は枠体からなり、この枠体内に前記蒸散剤保持体を着脱自在に保持した(2)〜(4)のいずれかに記載の加熱蒸散装置。
(6)  前記押出手段は、前記蒸散剤保持体を支持しかつ前記器体の底部または側部に取り付けられた弾性受け部であり、この受け部を弾性力に抗して器体内に押し込むことにより蒸散剤保持体を前記開口部より器体外へ押し出すようにした(1)記載の加熱蒸散装置。
(7)  前記押出手段は、前記蒸散剤保持体を支持しかつ前記器体の底部または側部に取り付けられた弾性受け部であり、この受け部を弾性力に抗してロックし蒸散剤保持体を加熱状態に保持するためのロック手段を設け、このロック手段によるロックを解除した状態で受け部が蒸散剤保持体を前記開口部から器体外へ押し出されるようにした(1)記載の加熱蒸散装置。
(8)  発熱部を内蔵した器体と、この器体前面に設けられ気体通過孔を有する蓋体とを備え、蒸散剤保持体を前記器体と蓋体との間に介在させて蒸散剤保持体を前記発熱部により加熱して蒸散剤を蒸散させるようにした加熱蒸散装置であって、前記蓋体は、前記器体の上方または側方にスライド自在に器体に取り付けられており、かつ蓋体内面に蒸散剤保持体が着脱自在に保持されていることを特徴とする加熱蒸散装置。
(9)  発熱部を内蔵した器体と、この器体前面に設けられ気体通過孔を有する蓋体とを備え、蒸散剤保持体を前記器体と蓋体との間に介在させて蒸散剤保持体を前記発熱部により加熱して蒸散剤を蒸散させるようにした加熱蒸散装置であって、前記器体は、その両側面に前記蒸散剤保持体を出し入れするための開口部を有し、かつ器体内にこれらの開口部間にわたってガイドレールが架設されていることを特徴とする加熱蒸散装置。
(10)  前記蒸散剤保持体が水平、傾斜および直立のいずれかの状態で配置されている(1)〜(9)のいずれかに記載の加熱蒸散装置。
【発明の効果】
【０００６】
前記(1)記載の加熱蒸散装置によれば、前記器体は、蒸散剤保持体を出し入れするための開口部を備え、さらにこの開口部から蒸散剤保持体の少なくとも一部を器体の外に押し出すための押出手段を備えているので、蒸散剤保持体の出し入れを簡単に行うことができる。
【０００７】
前記(2)記載のように、押出手段が、蒸散剤保持体を支持しかつ開口部に向かって移動可能な受け部と、この受け部を器体外から操作する操作部とを備えているのが好ましい。この加熱蒸散装置では、例えば前記(3)記載のように受け部の移動方向に沿って器体に設けられた貫通口を経て受け部の端部に取手を接続すればよい。この加熱蒸散装置では、取手を開口部に向かって移動させると、受け部とともに蒸散剤保持体の少なくとも一部が器体の外に押し出される。これにより、蒸散剤保持体の出し入れを簡単に行うことができる。
【０００８】
また、前記(4)記載のように、押出手段が器体に回動自在に取り付けられたレバーであってもよい。この加熱蒸散装置では、器体外に配置されたレバーの一端である操作部を回動させると、レバー取り付け部を回動中心にして受け部が回動するので、この受け部とともに蒸散剤保持体の少なくとも一部が器体の外に押し出される。これにより、蒸散剤保持体の出し入れを簡単に行うことができる。
【０００９】
さらに、前記(5)記載のように、受け部が枠体からなり、この枠体内に蒸散剤保持体を着脱自在に保持した加熱蒸散装置であってもよい。この加熱蒸散装置では、器体外に配置された操作部により枠体を開口部に向かって移動させることにより、この枠体とともに蒸散剤保持体の少なくとも一部が器体の外に押し出される。これにより、蒸散剤保持体の出し入れを簡単に行うことができる。
【００１０】
前記(6)記載の加熱蒸散装置では、蒸散剤保持体を加熱して蒸散剤を蒸散させる際には、蒸散剤保持体は弾性受け部により所定位置に支持されている。一方で、蒸散剤保持体を取り出す際には、弾性力に抗する方向に弾性受け部を押すことにより蒸散剤保持体を開口部から押し出すことができる。これにより、蒸散剤保持体の出し入れを簡単に行うことができる。
【００１１】
前記(7)記載の加熱蒸散装置では、蒸散剤保持体を加熱して蒸散剤を蒸散させる際には、蒸散剤保持体は弾性力に抗してロックされた弾性受け部により所定位置に支持されている。一方で、蒸散剤保持体を取り出す際には、ロック手段のロックを解除することにより蒸散剤保持体を開口部から押し出すことができる。これにより、蒸散剤保持体の出し入れを簡単に行うことができる。
【００１２】
前記(8)記載の加熱蒸散装置では、蓋体を器体に対してスライドさせた後、蒸散剤保持体を蓋体から取り出すことにより、蒸散剤保持体を簡単に取り出すことができる。
【００１３】
前記(9)記載の加熱蒸散装置では、蒸散剤保持体を交換する場合、別の蒸散剤保持体を一方の開口部から挿入するだけで、交換される蒸散剤保持体を他方の開口部からガイドレールに沿って押し出すことができる。これにより、蒸散剤保持体を簡単に取り出すことができる。
【００１４】
また、本発明の加熱蒸散装置では、前記(10)記載のように、蒸散剤保持体を水平、傾斜および直立のいずれの状態で配置してもよい。
【発明を実施するための最良の形態】
【００１５】
以下、図面に基づいて本発明の実施形態にかかる加熱蒸散装置について詳細に説明する。
【００１６】
なお、本発明において、蒸散剤としては、殺虫剤、殺菌剤、殺ダニ剤、忌避剤、医薬品、芳香剤、消臭剤、防虫剤、化粧品等の蒸散剤などが使用される。これらの蒸散剤としては、蒸散性の有効成分に、これと相溶する水、脂肪族炭化水素、アルコール、グリコール、両親媒性物質などを加えたものであってもよく、あるいは殺虫原体などの原体をそのまま用いてもよい。ここで、殺虫原体とは、溶剤を含まない殺虫剤成分自体をいい、２種以上の殺虫剤成分を混合したものであってもよい。また、殺虫原体などの原体に添加剤を含有した添加殺虫原体などの添加原体を用いてもよい。例えば添加殺虫原体とは、前記殺虫原体に効力増強剤、揮散調整剤、粒子径調整剤、安定剤、酸化防止剤、紫外線防止剤、着色剤などを添加したものをいう。
【００１７】
前記殺虫剤成分としては、例えば、従来から害虫駆除に用いられている以下の殺虫剤成分などが挙げられる。また、これらの異性体であってもよい。また、蒸散剤の性状は液体、固体のいずれでもよい。
＊３−アリル−２−メチルシクロペンタ−２−エン−４−オン−１−イル  ｄ−シス／トランス−クリサンテマート（商品名ピナミンフォルテ：住友化学工業株式会社製）
＊３−アリル−２−メチルシクロペンタ−２−エン−４−オン−１−イル  dl−シス／トランス−クリサンテマート（一般名アレスリン：商品名ピナミン：住友化学工業株式会社製）
＊２−メチル−４−オキソ−３−（２−プロピニル）−２−シクロペンテニルクリサンテマート（一般名：プラレトリン）
＊ｄ−３−アリル−２−メチルシクロペンタ−２−エン−４−オン−１−イル  ｄ−トランス−クリサンテマート（商品名エキスリン：住友化学工業株式会社製）
＊３−アリル−２−メチルシクロペンタ−２−エン−４−オン−１−イル  ｄ−トランス−クリサンテマート（一般名バイオアレスリン）
＊Ｎ−（3,4,5,6−テトラヒドロフタリミド）−メチル  dl−シス／トランス−クリサンテマート（一般名フタルスリン：商品名ネオピナミン：住友化学工業株式会社製）
＊５−ベンジル−３−フリルメチル  ｄ−シス／トランス−クリサンテマート（一般名レスメトリン：商品名クリスロンフォルテ：住友化学工業株式会社製）
＊５−（２−プロパルギル）−３−フリルメチルクリサンテマート（一般名フラメトリン）
＊３−フェノキシベンジル 2,2−ジメチル−３−（2',2'−ジクロロ）ビニルシクロプロパン  カルボキシレート（一般名ペルメトリン：商品名エクスミン：住友化学工業株式会社製）
＊３−フェノキシベンジル  ｄ−シス／トランス−クリサンテマート（一般名フェノトリン：商品名スミスリン：住友化学工業株式会社製）
＊α−シアノフェノキシベンジル  イソプロピル−４−クロロフェニルアセトテート（一般名フェンバレレート：商品名スミサイジン：住友化学工業株式会社製）
＊(S)−α−シアノ−３−フェノキシベンジル（1R,シス）−３−（2,2−ジクロロビニル）−2,2−ジメチルシクロプロパンカルボキシレート
＊(R,S)−α−シアノ−３−フェノキシベンジル（1R，1S）−シス／トランス−３−（2,2−ジクロロビニル）−2,2−ジメチルシクロプロパンカルボキシレート
＊α−シアノ−３−フェノキシベンジル  ｄ−シス／トランス−クリサンテマート
＊１−エチニル−２−メチル−２−ペンテニルシス／トランス／クリサンテマート
＊１−エチニル−２−メチル−２−ペンテニル2,2−ジメチル−３−（２−メチル−１−プロペニル）シクロプロパン−１−カルボキシレート
＊１−エチニル−２−メチル−２−ペンテニル2,2,3,3−テトラメチルシクロプロパンカルボキシレート
＊１−エチニル−２−メチル−２−ペンテニル2,2−ジメチル−３−（2,2−ジクロロビニル）シクロプロパン−１−カルボキシレート
＊Ｏ〔（ペンタフルオロフェニル）−メチル〕−１Ｒ，３Ｒ−３−（２，２−ジクロロエチニル）−２，２−ジメチル−シクロプロパンカルボキシレート（一般名フェンフルスリン）
＊ｄ−トランス−２，３，５，６−テトラフルオロベンジル−３−（２，２−ジクロロビニル）−２，２−ジメチル−１−シクロプロパンカルボキシレート（一般名トランスフルスリン）
＊Ｏ，Ｏ−ジメチル  Ｏ−（2,2−ジクロロ）ビニルホスフェート
＊ｏ−イソプポキシフェニル  メチルカーバメート
＊Ｏ，Ｏ−ジメチル  Ｏ−（３−メチル−４−ニトロフェニル）チオノフォスフェート
＊Ｏ，Ｏ−ジエチル  Ｏ−２−イソプロピル−４−メチル−ピリミジル−(6)−チオフォスフェート
＊Ｏ，Ｏ−ジメチル  Ｓ−（1,2−ジカルボエトキシエチル）−ジチオフォスフェート
＊（１Ｓ）−１−エチニル−２−メチル−２−ペンテニル−（１Ｒ）−トランス−３−（２，２−ジクロロエテニル）−２，２−ジメチルシクロプロパンカルボキシラート
＊１−エチニル−２−メチル−２−ペンテニル−３−（２，２−ジクロロエテニル）−２，２−ジメチルシクロプロパンカルボキシラート
さらに、商品名「Ｓ−１８６４」（住友化学工業（株）製）、メトフルトリン、ベーパースリン、d-T80-フラメトリン、エムペントリン、d-T80-フタルスリン、スタークル、ビフェントリン、フェンフェノクスロン、アミドフルメットなどの殺虫剤成分が挙げられる。
【００１８】
＜第１の実施形態＞
図１は本発明の第１の実施形態にかかる加熱蒸散装置101を示す斜視図であり、図２は加熱蒸散装置101の器体111を示す斜視図であり、図３は蒸散剤保持体20の一例を示す斜視図である。図１，２に示すように、この加熱蒸散装置101は、発熱部25を内蔵した器体111と、この器体111の前面に設けられた蓋体12とを備え、蒸散剤保持体20を器体111と蓋体12との間に介在させて蒸散剤保持体20を発熱部25により加熱して蒸散剤を蒸散させるようにしたものである。
【００１９】
蓋体12は、水平方向（地面に対して平行な方向）に対して傾斜（例えば１０度〜６０度で傾斜）した蓋表面12aを有し、この蓋表面12aに複数の気体通過孔13が設けられている。ここでは気体通過孔13が、上下方向に細長形状に伸びるように複数設けられている。これら気体通過孔13の長手方向部分は蓋体12の柱部12cによって区画されている。
【００２０】
器体111には、上部に蒸散剤保持体20を出し入れするための開口部31と、この開口部31から蒸散剤保持体20の少なくとも一部を器体111の外に押し出すための押出手段131とが設けられている。開口部31は、蒸散剤の蒸散口としても機能する。
【００２１】
押出手段131は、蒸散剤保持体20の下部を支持しかつ開口部31に向かって移動可能な受け部131aと、この受け部131aの移動方向に沿って器体111に設けられた貫通口131cを経て受け部131aの端部に接続された取手（操作部）131bとを備えている。
【００２２】
蒸散剤保持剤20は、蒸散剤（蒸散液）を収容した略直方体状の容器21の上方開口を気体透過性フィルム22で覆い、容器21の上方周縁にフランジ状の側縁部23を設けた構成である。容器21は、例えば金属製とすることができる。この蒸散剤保持体20は容器21の下面を加熱されて、気体透過性フィルム22を介して蒸散剤を蒸散するものなので、目詰まりなどの心配がない。
【００２３】
図４は、蓋体12に蒸散剤保持体20を取り付けて蒸散剤保持体20を器体111と蓋体12との間に介在させた状態において、図１における矢印Ｉの方向から見た図である。また、図５は、蒸散剤保持体20を取り付けた状態における加熱蒸散装置101を示す断面図である。
【００２４】
図４，５に示すように、開口部31から挿入された蒸散剤保持体20は、その下端が受け部131a上に配置されている。蓋体12の内面には押さえ部となる位置決め片18が設けられている。位置決め片18は、蓋体12の内面に幅方向に間隔をあけて一対で設けられている。各位置決め片18は、蓋体12の内面に一体的に形成され、位置決め片18の先端部が蒸散剤保持体20の側縁部23に当接している。
【００２５】
蓋体12の両側縁部には、Ｌ字状のガイド19b，19bが設けられている。ガイド19bは、蓋体12の蓋表面12aに対して略平行に延びている。前述の位置決め片18は、ガイド19b付近に位置している。
【００２６】
位置決め片18とガイド19bとの間に、蒸散剤保持体20の側縁部23が挿入され、受け部131aに蒸散剤保持体20の先端が当たるまで、蒸散剤保持体20が挿し込まれる。こうして、蒸散剤保持体20の側縁部23が、位置決め片18とガイド19bとによって挟持された状態となる。
【００２７】
蒸散剤保持体20は、水平方向に対して例えば１０度〜９０度で傾斜した状態で支持される。
【００２８】
発熱部25は、電源が端子25aを通って供給されると発熱体25bにその熱が伝わり、蒸散剤保持体20の裏面を面状に加熱する。すると、蒸散剤保持体20の表面の気体透過性フィルムを介して殺虫剤等の蒸散剤が蒸散され、蓋体12の気体通過孔13を介して外部に蒸散される。
【００２９】
器体11の底部11aに垂直に立設された背部11bには、コンセントに挿し込まれる電源供給用のプラグ26が設けられている。プラグ26は底部11aから突出するように設けられていてもよい。プラグ26は、背部11bから突出した状態と、底部11aから突出した状態との両方の位置を取り得るように、器体11に可動に設けられてもよい。プラグ26を可動とすれば、例えば、屋内の壁面に設けられたコンセントと上面にコンセントを有するテーブルタップとのいずれにおいても加熱蒸散装置を取り付けることができる。
【００３０】
図６は、図５に示す矢印Ａからみた加熱蒸散装置101の断面図を示している。図６において位置決め片18や蒸散剤保持体20や発熱部25は図示していない。図６に示すように、蓋体12の柱部12cは、断面が略三角形で、かつこの略三角形の底面が蓋体12の裏面側に位置するように構成されている。なお、蓋体12の柱部12cは、断面が三角形状になる構成に限られない。例えば、断面が台形などの形状になるよう構成されていてもよい。
【００３１】
本発明にかかる加熱蒸散装置101は、蓋体12の上端部分（図５において左側からみた場合の蓋体12の上側部分）と器体11との隙間に開口部31が形成された構成を有している。開口部31は、蒸散剤保持体20の上端20aの鉛直方向上方に開口するように設けられている。なお、開口部31は、器体111との隙間ではなく、器体111に設けられている構成としてもよい。
【００３２】
蒸散させた蒸散剤は、特に、加熱蒸散装置101において蒸散剤保持体20の上方に位置する部位に付着し、この付着した蒸散剤が蓋体12の気体通過孔13を遮蔽することによって蒸散剤の蒸散効率を低減せしめる場合がある。しかし、加熱蒸散装置101には、蒸散剤保持体20の上端20aに対して鉛直方向上方に開口する開口部31を設けているので、この開口部31を通じて蒸散剤が加熱蒸散装置101の外部に排出される。これにより、加熱蒸散装置101の内部に蒸散剤が付着することに起因して蒸散剤の蒸散効率が低減することを抑制することができる。
【００３３】
本発明にかかる加熱蒸散装置101は、蓋体12の下端部分（図５において左側からみた場合の蓋体12の下端部分）と器体111との隙間に第１の空気取入口32が形成された構成を有している。なお、第１の空気取入口32は、器体111との隙間だけでなく、器体111に設けられている構成としてもよい。
【００３４】
本実施形態においては、第１の空気取入口32は、蒸散剤保持体20の下端20bより鉛直方向に対して下側の位置で開口するように形成されている。加熱蒸散装置101の外部の空気が第１の空気取入口32から器体111内部に導入される。導入された空気によって蒸散剤の蒸散が促進されるので、蒸散剤の蒸散効率が向上する。蓋体12の下端部と器体111との隙間は、１ｍｍから８ｍｍの範囲に構成することが好ましい。
【００３５】
本実施形態にかかる加熱蒸散装置101は、器体111の底部11aに垂直に立設された背部11bに複数の第２の空気取入口33が設けられている。図７は、図５の加熱蒸散装置を図に向かって右側からみた状態（背部11bを正面視した状態）を示している。図５〜図７に示すように、複数の第２の空気取入口33は、背部11bに縦方向（図７に向かって上下方向）に２つ、横方向（図７に向かって左右方向）に５つに配列された構成を有している。なお、第２の空気取入口33の数や配列はこの構成に限られない。また、複数の第２の空気取入口33はそれぞれ大きさが同じでも、異なっていてもよく、配列されずに背部に適宜形成されていてもよい。
【００３６】
第２の空気取入口33のそれぞれは、凹部となるように形成され、この凹部を区画する下方側面に、器体111内部と連通する孔33aが開口するように構成されている。第２の空気取入口33のそれぞれは、器体111の外部から第２の空気取入口33に挿入される図示しない先細の部材などの侵入物が、凹部の底部分に突き当たるように構成されている。つまり、加熱蒸散装置101は、第２の空気取入口33によって、器体111内部に不測に侵入した侵入物が発熱部25などに損傷を与えてしまうことを防止することができる。
【００３７】
図８は加熱蒸散装置101から蒸散剤保持体20を取り出す際の状態を示す斜視図である。図８に示すように、加熱蒸散装置101では、例えば取手131bを手で持って開口部31の方向（矢印Ｂの方向）に持ち上げることにより、蒸散剤保持体20の上部を開口部31から器体111の外に押し出すことができる。このようにして押し出された蒸散剤保持体20の上部を掴んで引き出すことにより、加熱蒸散装置101から蒸散剤保持体20を簡単に取り出すことができる。なお、押出手段131は、電源スイッチの役割を兼ねるような構造であってもよい。すなわち、開口部31から蒸散剤保持体20を器体内に挿入し蒸散剤保持体20の下端が受け部131aを下方に押した時に電源の供給を開始し、取手131bを矢印Ｂ方向に持ち上げると電源の供給を停止するようにする。
【００３８】
本実施形態の加熱蒸散装置101において、複数の気体通過孔13の蓋表面12aに対する開口率は、実施可能な範囲において４０％以上（本実施形態において４５％）の範囲になるよう構成されている。なお、ここでいう開口率とは、蓋表面12aの面積に対する複数の気体通過孔13の開口している箇所の合計面積の割合をいう。ここで、複数の気体通過孔13は開口率が４０％未満になるように構成した場合、蒸散させた蒸散剤が気体通過孔13の隙間に付着して残留する状態、ひいては空気の流れが悪くなるなど、付着により蒸散性が低下するおそれがある。
【００３９】
そこで、複数の気体通過孔13は開口率が４０％以上になるように構成することで、蒸散させた蒸散剤が気体通過孔13の隙間に付着して残留する状態、ひいては空気の流れが悪くなるなど、付着により蒸散性が低下する現象を防止することができる。また、複数の気体通過孔13は、開口率が４０％以上となるように構成されるとともに、これら気体通過孔13のそれぞれの短手方向長さが５ｍｍ以下（本実施形態においては２．５ｍｍ）になるように構成されている。このため、使用者や幼児の手指が気体通過孔13を介して発熱部25や蒸散剤保持体に接触してしまうことを防止することができる。従って、蒸散剤の蒸散効率を良好に維持することが可能でかつ使い勝手のよい加熱蒸散装置を提供することができる。
【００４０】
＜第２の実施形態＞
図９は本発明の第２の実施形態にかかる加熱蒸散装置102を示す斜視図であり、図１０は加熱蒸散装置102の器体112を示す斜視図である。図９，１０に示すように、この加熱蒸散装置102は、受け部132aと操作部132bとを有する略Ｌ字形状のレバー132を備えている。このレバー132は、器体112の側面に設けられた溝部132dの下端に設けられた貫通口（図示せず）に挿通され、レバー取り付け部132cにおいて回動自在に取り付けられている。蒸散剤保持体20は、受け部132a上に支持される。すなわち、このレバー132は、受け部132aを力点とし、操作部132bを作用点とし、レバー取り付け部132cを支点としている。
【００４１】
したがって、加熱蒸散装置102では、操作部132bを矢印Ｃの方向に引き下げることにより、レバー取り付け部132cを回動中心にして受け部132aが上方に回動して蒸散剤保持体20の上部を開口部31から器体112の外に押し出すことができる。このようにして押し出された蒸散剤保持体20の上部を掴んで引き上げることにより、加熱蒸散装置102から蒸散剤保持体20を簡単に取り出すことができる。なお、レバー132は、電源スイッチの役割を兼ねるような構造であってもよい。すなわち、開口部31から蒸散剤保持体20を器体内に挿入し蒸散剤保持体20の下端が受け部132aを下方に押した時に電源の供給を開始し、操作部132bを矢印Ｃ方向に引き下げると電源の供給を停止するようにする。第２の実施形態では、すでに説明した部材などと同等な構成・作用を有する部材等については、図中に同一符号又は相当符号を付すことにより、説明を簡略化或いは省略する。レバーとしては、上記のような略Ｌ字形状だけではなく、例えば単なる棒状のものであってもよい。
【００４２】
＜第３の実施形態＞
図１１は本発明の第３の実施形態にかかる加熱蒸散装置103を示す断面図であり、図１２は加熱蒸散装置103を示す斜視図であり、図１３は加熱蒸散装置103から蒸散剤保持体20を取り出す際の状態を示す斜視図である。図１１〜１３に示すように、この加熱蒸散装置103は、蒸散剤保持体20を支持しかつ開口部231に向かって移動可能な枠体（受け部）133aと、この枠体133aを器体113の外から操作するための操作部133bとを有する押出手段133を備えている。枠体133aは、該枠体内に蒸散剤保持体20を着脱自在に保持したコ字形状であり、連結部材133cにより操作部133bと連結されている。
【００４３】
したがって、加熱蒸散装置103では、操作部133bを開口部231の方向（矢印Ｄの方向）に動かすことにより、枠体133aを開口部231に向かって移動させることができるので、蒸散剤保持体20の側部を開口部231から器体113の外に押し出すことができる。このようにして押し出された蒸散剤保持体20の側部を掴んで引き出すことにより、加熱蒸散装置103から蒸散剤保持体20を簡単に取り出すことができる。
【００４４】
また、操作部133bは、電源スイッチの役割をも兼ね備えている。すなわち、加熱蒸散装置103から蒸散剤保持体20を取り出した状態（操作部133bを矢印Ｄ側に動かした状態）のときに電源の供給を停止し、枠体133aに蒸散剤保持体20を保持し加熱蒸散装置103にセットした状態（操作部133bを矢印Ｄの反対方向に動かした状態）のときに電源の供給を開始する。なお、第３の実施形態では、すでに説明した部材などと同等な構成・作用を有する部材等については、図中に同一符号又は相当符号を付すことにより、説明を簡略化或いは省略する。
【００４５】
＜第４の実施形態＞
図１４は本発明の第４の実施形態にかかる加熱蒸散装置104を示す断面図であり、図１５は加熱蒸散装置104の器体114を示す斜視図である。図１４，１５に示すように、この加熱蒸散装置104は、蒸散剤保持体20を支持しかつ器体114の底部11aに設けられた弾性受け部（押出手段）134を備えている。この弾性受け部134は、器体114の底部11aに露出した板ばねからなる押圧部134aと、この押圧部134aと一体形成され蒸散剤保持体20を支持する支持部134bとからなる。
【００４６】
この加熱蒸散装置104では、弾性受け部134の押圧部134aを弾性力に抗して器体内に押し出すことにより蒸散剤保持体20の上部を開口部31より押し出すことができる。このようにして押し出された蒸散剤保持体20の上部を掴んで引き上げることにより、加熱蒸散装置104から蒸散剤保持体20を簡単に取り出すことができる。なお、第４の実施形態では、すでに説明した部材などと同等な構成・作用を有する部材等については、図中に同一符号又は相当符号を付すことにより、説明を簡略化或いは省略する。なお、弾性受け部134は、電源スイッチの役割を兼ねるような構造であってもよい。すなわち、開口部31から蒸散剤保持体20を器体内に挿入し蒸散剤保持体20の下端が支持部134bを下方に押した時に電源の供給を開始し、押圧部134aを器体内に押して蒸散剤保持体20を開口部31から押し出すと電源の供給を停止するようにする。
【００４７】
＜第５の実施形態＞
図１６は本発明の第５の実施形態にかかる加熱蒸散装置105を示す分解斜視図であり、図１７(a)〜(e)は器体115に設けられた弾性受け部（押出手段）135の機構を示す概略図である。図１６，１７に示すように、弾性受け部135は、上面に開口部135hを有し、前面に開口部135gを有するケーシング135cと、このケーシング135c内に押し込み可能に収容された作動部135aと、この作動部135aの下面とケーシング135cの底面との間に配置され作動部135aを上方に付勢するばね135bとからなる。この弾性受け部135は、作動部135aの上面で蒸散剤保持体20を支持しかつ器体115の底部に取り付けられている。
【００４８】
また、弾性受け部135には、作動部135aをばね135bの弾性力に抗してロックし蒸散剤保持体20を加熱状態に保持するロック手段Ｒが設けられている。ロック手段Ｒは、作動部135aの前面に回動自在に取り付けられ、作動部135aの上下動に伴って開口部135g内で上下方向に移動するカム135dと、開口部135gの一方の側面に形成された第１突起部135eとからなる。開口部135gの他方の側面には第２突起部135fが形成されている。また、カム135dの両端にはＶ字溝がそれぞれ形成されている。そして、ロック手段Ｒによるロックを解除した状態で受け部135における作動部135aが蒸散剤保持体20を開口部31から押し出すように構成されている。蓋体12は、器体115の前面に取り付けられている。
【００４９】
Ｉ．ロック解除状態
ロック解除状態では、作動部135aは、ばね135bにより上方に付勢されるとともに、直立状態で開口部135gの上面に接触したカム135dにより動きが規制されて停止している（図１７(a)）。
【００５０】
II．ロック操作
蒸散剤保持体20を開口部31から器体115内に挿入すると、蒸散剤保持体20により作動部135aが下方に押されケーシング135c内に押し込まれる。そして、カム135dにおける下方に位置する端部が第２突起部135fに接触すると、カム135dが僅かに回転し、Ｖ字溝が第２突起部135fに嵌合してカム135dが傾斜した状態で作動部135aが停止する（図１７(b)）。この状態で蒸散剤保持体20の押し込みを止めると、ばね135bの弾性力により作動部135aが上昇する。そして、カム135dにおける上方に位置する端部が第１突起部135eに接触すると、カム135dが僅かに回転し、Ｖ字溝が第１突起部135eに嵌合するとともに、下方に位置する端部が開口部135gの側面に当接してロック状態となる（図１７(c)）。
【００５１】
III．ロック解除操作
蒸散剤保持体20を取り出すためにロックを解除する場合には、以下のようにする。蒸散剤保持体20の上部を押して作動部135aを下方に押し込み、カム135dにおける下方に位置する端部が第２突起部135fに接触すると、カム135dが僅かに回転して略水平状態となり作動部135aが停止する（図１７(d)）。この状態で蒸散剤保持体20の押し込みを止めると、ばね135bの弾性力により作動部135aが上昇する。そして、カム135dの一端が第１突起部135eに接触すると、カム135dが矢印方向に回転しながら作動部135aが上方に移動し（図１７(e)）、カム135dが直立状態となり開口部31の上面に接触し、作動部135aが停止する（図１７(a)）。これにより、蒸散剤保持体20の上部を開口部31から押し出すことができる。そして、蒸散剤保持体20の上部を掴んで引き上げることにより、加熱蒸散装置104から蒸散剤保持体20を簡単に取り出すことができる。
【００５２】
なお、弾性受け部135は、電源スイッチの役割を兼ねるような構造であってもよい。すなわち、上記したロック操作により電源の供給を開始し、ロック解除操作により電源の供給を停止する。第５の実施形態では、すでに説明した部材などと同等な構成・作用を有する部材等については、図中に同一符号又は相当符号を付すことにより、説明を簡略化或いは省略する。
【００５３】
＜第６の実施形態＞
図１８は本発明の第６の実施形態にかかる加熱蒸散装置106を示す斜視図であり、図１９は加熱蒸散装置106の蓋体212を示す斜視図であり、図２０は、加熱蒸散装置106において蓋体212をスライドさせた状態を示す背面図である。図１８〜２０に示すように、加熱蒸散装置106では、器体116が蓋体212のスライド方向に沿って側面に溝部136aを有しており、蓋体212が側面に凸部136bを有している。そして、この凸部136bを溝部136aに嵌合させることによって、蓋体212が器体116の上方にスライド自在に器体116に取り付けられている。また、蓋体212は、内面に蒸散剤保持体20を着脱自在に保持している。
【００５４】
蒸散剤保持体20を加熱蒸散装置106から取り出す際には、図２０に示すように、蓋体212を器体116に対して上方にスライドさせればよい。これにより、加熱蒸散装置106から露出した蒸散剤保持体20の上部を掴んで上部に引き上げて、加熱蒸散装置106から蒸散剤保持体20を簡単に取り出すことができる。なお、蓋体212を器体116に対して上方にスライドさせた時に電源の供給を停止し、蓋体212の内面に蒸散剤保持体20を保持した状態で蓋体212を器体116に対して下方にスライドさせ所定位置にセットした時に電源の供給を開始するようにしてもよい。第６の実施形態では、すでに説明した部材などと同等な構成・作用を有する部材等については、図中に同一符号又は相当符号を付すことにより、説明を簡略化或いは省略する。上記の第６実施形態では、器体に溝部を設け、蓋体に凸部を設けた場合について説明したが、これとは逆に器体に凸部を設け、蓋体に溝部を設けるようにしてもよい。また、蓋体を器体に取り付ける手段としては、上記形態に限定されるものではなく、蓋体が器体にスライド自在であれば、特に限定されるものではない。
【００５５】
＜第７の実施形態＞
図２１は本発明の第７の実施形態にかかる加熱蒸散装置107を示す斜視図であり、図２２は加熱蒸散装置107から蒸散剤保持体20を取り出す際の状態を示す斜視図である。なお、図２２には、説明の便宜上、蓋体12を図示していない。この加熱蒸散装置107では、器体117は、その両側面に蒸散剤保持体20を出し入れするための開口部137a，137bを有している。また、器体117内には、開口部137aと開口部137bとの間にわたってガイドレール137c，137dが架設されている。
【００５６】
この加熱蒸散装置107では、蒸散剤保持体20を交換する場合、別の蒸散剤保持体20’を一方の開口部137aから矢印Ｅ方向に挿入するだけで、交換される蒸散剤保持体20を他方の貫通口137bからガイドレール137c，137dに沿って押し出すことができる。これにより、蒸散剤保持体20を加熱蒸散装置107から簡単に取り出すことができる。なお、蒸散剤保持体20’を開口部137aから矢印Ｅ方向に挿入した時に、蒸散剤保持体20’が図示しない電源スイッチに接触して電源の供給が開始されるようにしてもよい。第７の実施形態では、すでに説明した部材などと同等な構成・作用を有する部材等については、図中に同一符号又は相当符号を付すことにより、説明を簡略化或いは省略する。
【００５７】
図２３(a)〜(c)は、それぞれ蒸散剤保持体の他の実施形態を示す斜視図である。なお、図２３(a)〜(c)において、気体透過性フィルム及び蒸散剤は図示しない。図２３(a)に示すように、蒸散剤保持体220の容器221は、深底部221ａと、底部が深底部221aのものに比して浅くなるように形成された浅底部221bとを有している。この蒸散剤保持体220は、蓋体に取り付けた状態で、深底部221ａが浅底部221ｂよりも上方になるように構成されている。また、蒸散剤保持体220が蓋体に取り付けられた状態において、発熱部２５が浅底部221ｂの面に当接する。
【００５８】
蒸散剤保持体220の深底部221ａ及び浅底部221ｂには予め蒸散剤が気体透過性フィルムによって封入されている。そして、用事において発熱部25に電源が供給されると、発熱部25によって加熱されることで、蒸散剤保持体220の浅底部221ｂに貯留する蒸散剤が蒸散する。ここで、深底部221ａにも蒸散剤が貯留している場合には、浅底部221ｂに貯留する蒸散剤が蒸散により減少しても、深底部221ａから蒸散剤が自重によって移動する。
【００５９】
図２３(b)に示す蒸散剤保持体230は、それぞれ、浅底部231ｂに気体透過性フィルム側に立設された凸部231ｃが形成されている。このため、蒸散剤保持体230の容器231に気体透過性フィルムで蒸散剤を密封すると、浅底部231bに貯留する蒸散剤の量は蒸散剤保持体220に比して、凸部231cの分だけ少なくなる。
【００６０】
また、図２３(c)に示す蒸散剤保持体240の浅底部241bにも凸部241cが形成されている。凸部241cは、上方視（図２３(b)及び(c)において上方から見た状態）における立設された部分の面積が、蒸散剤保持体230の凸部231ｃに比して大きい。このため、浅底部241bに貯留する蒸散剤の量は蒸散剤保持体220及び蒸散剤保持体230に比して少なくなる。
【００６１】
つまり、蒸散剤保持体230，240の凸部231c，241cの大きさを調製することで浅底部231b、241bに貯留する蒸散剤の量を調整することができる。このため、蒸散剤保持体220，230，240に予め使用期間（例えば、３０日、６０日、９０日等）に応じてそれぞれ異なる量の蒸散剤を密封する場合、凸部231c，241cによって蒸散剤が深底部231a，241a側にはみ出し、浅底部231b，241b側に蒸散剤が偏ることを抑制することができる。言い換えれば、蓋体に取り付けた状態において、予め密封された蒸散剤の量の違いにかかわらず、それぞれの蒸散剤保持体220，230，240の蒸散剤の液面がほぼ同じ位置にあるようにすることができる。
【００６２】
また、蒸散剤保持体220，230，240が蓋体に取り付けられていない状態で、使用者が気体透過性フィルムを介して蒸散剤を確認する場合に、各蒸散剤保持体220，230，240に予め封入された蒸散剤の量にかかわらず、いずれもほぼ同量の蒸散剤が入っているように見えるため、蒸散剤保持体の外観が損なわれることを防止することができる。なお、蒸散剤保持体220，230，240の上端付近に、絶縁された断熱部材からなる図示しないつまみを設けて蒸散剤保持体220，230，240を掴みやすいようにしてもよい。
【００６３】
図２４は、他の形状を有する気体通過孔を備えた加熱蒸散装置180を示す斜視図である。図２４に示すように、本実施形態の加熱蒸散装置180は、蓋体182に略格子状に区画された正方形又は矩形の気体通過孔183が複数形成されている。加熱蒸散装置180において、複数の気体通過孔183の、蓋体182の蓋表面182aに対する開口率は４０％以上（本実施形態において４５％）の範囲になるよう構成されている。
【００６４】
ここで、複数の気体通過孔183は開口率が４０％未満になるように構成した場合、蒸散させた蒸散剤が気体通過孔183の隙間に付着して残留する状態、いわゆる目詰まりのような状態になるおそれがある。このような目詰まりが生じると、蒸散剤の蒸散効率が低減してしまう。そこで、本実施形態においては、複数の気体通過孔183は開口率が４０％以上になるように構成することで、蒸散させた薬剤が気体通過孔183の隙間に付着して残留する状態、いわゆる目詰まりのような状態になることを防止している。
【００６５】
また、複数の気体通過孔183は、開口率が４０％以上となるように構成されるとともに、これら気体通過孔183のそれぞれの最大寸法長さが５ｍｍ以下（本実施形態においては２．５ｍｍ）になるように構成されている。なお、ここでいう最大寸法長さとは、気体通過孔183のそれぞれに対して最も寸法が大きくなる部分の長さを意味する。例えば、図２４に示す複数の気体通過孔183の場合、それぞれの気体通過孔183の対角線の寸法が最も大きいため、この対角線の長さが５ｍｍ以下になるように構成されている。このため、使用者や幼児の手指が気体通過孔183を介して発熱部や蒸散剤保持体に接触してしまうことを防止することができる。なお、本実施形態において、気体通過孔183は正方形又は矩形に限られない。気体通過孔183は、例えば、三角形や五角形などの多角形、正円、楕円などの円形とすることができる。
【００６６】
蓋体182は、開閉式や取外し可能な着脱式としてもよい。また、蓋体182は開閉式でなく、単に着脱式とすることもできる。このように開閉式や着脱式とする場合には、図２４に示すように蓋体182の上部に指掛け部182bが設けられていてもよい。この指掛け部182bに力をかけて蓋体182がその下端付近を回動中心として上端側が回動し、器体111に対して開くような構成であってもよい。
【００６７】
なお、本発明は、前述した実施形態に限定されるものではなく、適宜な変形、改良等が可能である。例えば、蒸散剤保持体が蓋体の内側ではなく、器体側に挿入される構成としてもよく、器体に蒸散剤保持体を固定するためのリブストッパーやガイドが設けられていてもよい。また、以上の実施形態に記載されている構成部品の寸法、材質、形状、その相対配置などは特に特定的な記載がない限りは、単なる説明例に過ぎず、本発明の範囲をそれのみに限定する趣旨ではない。
【図面の簡単な説明】
【００６８】
【図１】本発明の第１の実施形態にかかる加熱蒸散装置を示す斜視図である。
【図２】第１の実施形態にかかる加熱蒸散装置の器体を示す斜視図である。
【図３】蒸散剤保持体の一例を示す斜視図である。
【図４】蓋体に蒸散剤保持体を取り付けた状態において、図１における矢印Ｉの方向から見た図である。
【図５】第１の実施形態において、蒸散剤保持体を取り付けた状態の加熱蒸散装置を示す断面図である。
【図６】図５に示す矢印Ａからみた加熱蒸散装置の断面図である。
【図７】図５の加熱蒸散装置を図に向かって右側からみた状態（背部を正面視した状態）を示す図である。
【図８】第１の実施形態にかかる加熱蒸散装置から蒸散剤保持体を取り出す際の状態を示す斜視図である。
【図９】本発明の第２の実施形態にかかる加熱蒸散装置を示す斜視図である。
【図１０】第２の実施形態にかかる加熱蒸散装置の器体を示す斜視図である。
【図１１】本発明の第３の実施形態にかかる加熱蒸散装置を示す断面図である。
【図１２】第３の実施形態にかかる加熱蒸散装置を示す斜視図である。
【図１３】第３の実施形態にかかる加熱蒸散装置から蒸散剤保持体を取り出す際の状態を示す斜視図である。
【図１４】本発明の第４の実施形態にかかる加熱蒸散装置を示す断面図である。
【図１５】第４の実施形態にかかる加熱蒸散装置の器体を示す斜視図である。
【図１６】本発明の第５の実施形態にかかる加熱蒸散装置を示す分解斜視図である。
【図１７】(a)〜(e)は、第５の実施形態にかかる加熱蒸散装置の器体に設けられた弾性受け部の構造を説明するための概略図である。
【図１８】本発明の第６の実施形態にかかる加熱蒸散装置を示す斜視図である。
【図１９】第６の実施形態にかかる加熱蒸散装置の蓋体を示す斜視図である。
【図２０】第６の実施形態にかかる加熱蒸散装置において蓋体をスライドさせた状態を示す背面図である。
【図２１】本発明の第７の実施形態にかかる加熱蒸散装置を示す斜視図である。
【図２２】第７の実施形態にかかる加熱蒸散装置から蒸散剤保持体を取り出す際の状態を示す斜視図である。
【図２３】(a)〜(c)は、蒸散剤保持体の他の形態をそれぞれ示す斜視図である。
【図２４】他の形状を有する気体通過孔を備えた、本発明の加熱蒸散装置を示す斜視図である。
【符号の説明】
【００６９】
１２  蓋体
１３  開口部
１８  位置決め片
２０  蒸散剤保持体
２１  容器
２２  気体透過性フィルム
２３  側縁部
２５  発熱部
２６  プラグ
３１，２３１  開口部
１０１〜１０７  加熱蒸散装置
１１１〜１１７  器体
１３１  押出手段
１３１ａ  受け部
１３１ｂ  取手
１３１ｃ  貫通口
１３２  レバー
１３２ａ  受け部
１３２ｂ  操作部
１３２ｃ  レバー取り付け部
１３２ｄ  溝部
１３３  押出手段
１３３ａ  枠体
１３３ｂ  操作部
１３３ｃ  連結部材
１３４  弾性受け部
１３４ａ  押圧部
１３４ｂ  支持部
１３５  弾性受け部
１３５ａ  作動部
１３５ｂ  ばね
１３５ｃ  ケーシング
１３５ｄ  カム
１３５ｅ  第１突起部
１３５ｆ  第２突起部
１３５ｇ，１３５ｈ  開口部
１３６ａ  溝部
１３６ｂ  凸部
１３７ａ，１３７ｂ  開口部
１３７ｃ，１３７ｄ  ガイドレール
２２０，２３０，２４０  蒸散剤保持体
【図１】
2005124542.tif 000003
【図２】
2005124542.tif 000004
【図３】
2005124542.tif 000005
【図４】
2005124542.tif 000006
【図５】
2005124542.tif 000007
【図６】
2005124542.tif 000008
【図７】
2005124542.tif 000009
【図８】
2005124542.tif 000010
【図９】
2005124542.tif 000011
【図１０】
2005124542.tif 000012
【図１１】
2005124542.tif 000013
【図１２】
2005124542.tif 000014
【図１３】
2005124542.tif 000015
【図１４】
2005124542.tif 000016
【図１５】
2005124542.tif 000017
【図１６】
2005124542.tif 000018
【図１７】
2005124542.tif 000019
【図１８】
2005124542.tif 000020
【図１９】
2005124542.tif 000021
【図２０】
2005124542.tif 000022
【図２１】
2005124542.tif 000023
【図２２】
2005124542.tif 000024
【図２３】
2005124542.tif 000025
【図２４】
2005124542.tif 000026